(57)【特許請求の範囲】
【請求項１】
ベースプレートの一側に設置され、偏光フィルムをローディング／アンローディングさせる第１ローディング／アンローディング部と、
前記ベースプレートの他側に前記第１ローディング／アンローディング部と対向するように設置され、偏光フィルムをローディング／アンローディングさせる第２ローディング／アンローディング部と、
前記第１ローディング／アンローディング部と前記第２ローディング／アンローディング部との間に設置され、偏光フィルムを検査する検査部と、
前記第１ローディング／アンローディング部によってローディングされる偏光フィルムをグリップして、第１ローディング／アンローディング部と前記検査部との間を移動する第１キャリアと、
前記第２ローディング／アンローディング部によってローディングされる偏光フィルムをグリップして、第２ローディング／アンローディング部と前記検査部との間を移動する第２キャリアと、
前記第１キャリアと前記第２キャリアとをそれぞれ前記第１ローディング／アンローディング部と前記第２ローディング／アンローディング部とから検査部に交互に往復動させるキャリアトランスファと、から構成されることを特徴とする偏光フィルム検査装置。
【請求項２】
前記第１ローディング／アンローディング部と前記第２ローディング／アンローディング部は、偏光フィルムが設置される昇降プレートと、前記昇降プレートを昇／下降させる昇降機と、からなり、
前記昇降機は、スライディングガイドと、前記スライディングガイドに沿って移動されるように設置された移動ブロックとからなり、
前記移動ブロックの上側面には、連結部材が設置されて、前記連結部材の上端には、昇降プレートが設置されていることを特徴とする請求項１に記載の偏光フィルム検査装置。
【請求項３】
前記第１キャリアと前記第２キャリアとは、それぞれ偏光フィルムをグリップする複数個のキャリアグリッパと、
前記複数個のグリッパが設置されてそれぞれのグリッパが偏光フィルムをグリップすることができるように前／後進移動する複数個のキャリア移動ブロックと、
前記キャリア移動ブロックを前／後進移動させる複数個のキャリア駆動部材とを具備することを特徴とする請求項１に記載の偏光フィルム検査装置。
【請求項４】
前記検査部は、偏光フィルムを領域スキャニングして検査する領域スキャナと、
偏光フィルムをラインスキャニングして検査するラインスキャナとを具備することを特徴とする請求項１に記載の偏光フィルム検査装置。
【請求項５】
前記領域スキャナは、光を発生する平板蛍光ランプと、
前記平板蛍光ランプの上側に設置され、移送される偏光フィルムをスキャニングするように、偏光フィルムの移送方向と直角になる方向に一列に配設され、偏光フィルムをスキャニングする複数個の領域スキャンカメラとを具備することを特徴とする請求項４に記載の偏光フィルム検査装置。
【請求項６】
前記ラインスキャナは、偏光フィルムの上側面をラインスキャニングする第１ラインスキャンカメラ部と、
前記第１ラインスキャンカメラ部が設置される第１ラインスキャン駆動部材と、
偏光フィルムの下側面をラインスキャニングする第２ラインスキャンカメラ部と、
前記第２ラインスキャンカメラ部が設置される第２ラインスキャン駆動部材と、から構成されることを特徴とする請求項４に記載の偏光フィルム検査装置。
【請求項７】
前記第１ラインスキャンカメラ部と前記第２ラインスキャンカメラ部とは、それぞれ斜めに設置され、傾斜した方向に移動させるマイクロメーターが具備されたラインスキャン照明と、
前記ラインスキャン照明から照射され偏光フィルムの表面を通じて反射される光を受信するように斜めに設置された複数個のラインスキャンカメラと、から構成されて、
前記ラインスキャン照明と前記複数個のラインスキャンカメラとは、前記第１ラインスキャン駆動部材と前記第２ラインスキャン駆動部材とによって互いの間隔が狭められたり離れたりすることができるように移動させることを特徴とする請求項６に記載の偏光フィルム検査装置。
【請求項８】
前記第１ラインスキャン駆動部材には、複数個の透過検査カメラ部がさらに具備され、前記第２ラインスキャン駆動部材には、透過検査照明がさらに具備され、該透過検査照明は傾斜した方向に移動させるマイクロメーターが具備されたことを特徴とする請求項６に記載の偏光フィルム検査装置。
【請求項９】
前記複数個のラインスキャンカメラと透過検査カメラとは、傾斜した方向にラインスキャンカメラと透過検査カメラを直線移動させるマイクロメーターと、
前記ラインスキャンカメラと透過検査カメラとをそれぞれ第１回動角度に回動されるように調整する第１傾斜調整部材と、
前記ラインスキャンカメラと透過検査カメラとをそれぞれ第２回動角度に回動されるように調整する第２傾斜調整部材とを具備することを特徴とする請求項７または８に記載の偏光フィルム検査装置。
【請求項１０】
前記複数個の領域スキャンカメラは、傾斜した方向に移動させるマイクロメーターが具備されることを特徴とする請求項５に記載の偏光フィルム検査装置。
【請求項１１】
前記第１キャリアと前記第２キャリアとは、それぞれキャリアプレートと、
前記キャリアプレートに設置されるキャリア駆動部材と、
前記キャリア駆動部材によって移動されることができるように設置され、キャリア駆動部材の駆動力によって前／後進移動される複数個のキャリア移動ブロックと、
前記キャリア移動ブロックの上側にそれぞれ設置され、偏光フィルムをグリップする複数個のキャリアグリッパとを具備することを特徴とする請求項１に記載の偏光フィルム検査装置。
【請求項１２】
前記キャリアトランスファは、リニアモータが適用されることを特徴とする請求項１に記載の偏光フィルム検査装置。
【請求項１３】
前記キャリアトランスファは、固定子と、
前記固定子に移動可能なように設置され、上側に前記第１キャリアが設置された第１可動子と、
前記固定子に移動可能なように設置され、上側に前記第２キャリアが設置された第２可動子とを具備することを特徴とする請求項１に記載の偏光フィルム検査装置。
【請求項１４】
第１ローディング／アンローディング部に位置した第１キャリアに偏光フィルムをローディングする第１段階と、
第１ローディング／アンローディング部に位置した第１キャリアが偏光フィルムをグリップすると、第１キャリアを検査部に移送させて、第１キャリアにグリップされた偏光フィルムを検査する第２段階と、
前記検査部に移送された第１キャリアにグリップされた偏光フィルムを検査する間、第２ローディング／アンローディング部に位置した第２キャリアに偏光フィルムをローディングする第３段階と、
前記検査部で第１キャリアにグリップされた偏光フィルムの検査が完了されると、第１キャリアを第１ローディング／アンローディング部に移送させる第４段階と、
前記第１キャリアを前記第１ローディング／アンローディング部に移送させると共に、偏光フィルムをグリップしている第２キャリアを前記検査部に移送させて、第２キャリアにグリップされた偏光フィルムを検査する第５段階と、
前記検査部に移送された第２キャリアにグリップされた偏光フィルムの検査が完了されると、第２キャリアを第２ローディング／アンローディング部に移送させる第６段階と、
前記第２ローディング／アンローディング部に前記第２キャリアが移送されると、第２キャリアにグリップされた偏光フィルムをアンローディングした後、検査される偏光フィルムを第２キャリアにローディングする間、前記第２段階を実施する第７段階とを具備することを特徴とする偏光フィルム検査方法。
【請求項１５】
前記第１キャリアにグリップされた偏光フィルムを検査する第２段階と、前記第２キャリアにグリップされた偏光フィルムを検査する第５段階とは、それぞれ第１キャリアと第２キャリアとにグリップされた偏光フィルムを検査する場合に領域スキャン検査を実施した後、ラインスキャン検査を実施することを特徴とする請求項１４に記載の偏光フィルム検査方法。
【発明の詳細な説明】
【技術分野】
【０００１】
本発明は、偏光フィルム検査装置に係るもので、より詳しくはＬＣＤに適用される偏光フィルムの不良の有無を自動に検査することができる偏光フィルム検査装置及び方法に関するものである。
【背景技術】
【０００２】
ＬＣＤ(Liquid Crystal Display)は液晶の複屈折を用いるので液晶分子に入射される光の振動方向を調節するために偏光フィルムが使用される。偏光フィルムは複数の方向に振動しながら入射される自然光を一方向にのみ振動する偏光になるようにする機能を持っており、その種類はヨウ素系、染料系、位相差、半透過及び反射型などの偏光フィルムがある。この中ヨウ素系の偏光フィルムは高透過及び高偏光の特性を有する高精細ＬＣＤ用偏光フィルムとして透明なPVA(Poly Vinyl Alcohol)フィルムにヨウ素を適用して可視光領域の光を吸収することができるようになっている。
【０００３】
偏光フィルムの構造は概略的にTAC(Tri-Acetyl-Cellulose)フィルム、接着剤、偏光素子、接着剤及びTACフィルムが順次に積層されて構成される。このような構成を持つ偏光フィルムを製造するためにローラー(roller)等が使用されることによって偏光フィルムの製造過程でローラーの摩擦力によって微細なスクラッチ(scratch)が発生することができる。また偏光フィルムの製造過程でPVAフィルム層に微細な変形または損傷等によって偏光機能を失って光がそのまま通過して抜ける光抜け現象が発生し得る。このように偏光フィルムが微細な変形や損傷等によって偏光機能を喪失するか又はスクラッチのような不良が発生する場合にＬＣＤ画面を駆動する際、画面にムラが生じる致命的な不良を発生させることができる。
【０００４】
ＬＣＤ画面に致命的な不良を発生させることができる偏光フィルムの不良の有無を検査して除去するために従来には作業者が直接目視で確認して検査を実施した。即ち、作業者が偏光フィルムを目視で確認して偏光フィルムに光抜け現象、スクラッチ、気泡または異物による不良が発生したか否かを検査することになる。
【発明の開示】
【発明が解決しようとする課題】
【０００５】
ところが、従来のように偏光フィルムを作業者が直接検査する場合に作業者の熟練度によって検査の精度及び生産性が低下される。例えば、作業者の熟練度が低い場合に検査作業のミスが発生する恐れがあり、熟練者としても作業者の疲労度によって検査作業の生産性が低下される恐れがある問題点がある。
【０００６】
そこで、本発明の目的は前記のような問題点を解決するためのもので、偏光フィルムの不良の有無の検査の際、検査部の両側に偏光フィルムのローディング／アンローディング部を備えて一方のローディング／アンローディング部に位置したキャリアに偏光フィルムをローディング／アンローディングする間、他のローディング／アンローディング部に位置したキャリアにグリップされた偏光フィルムを検査部で検査することができるようにして偏光フィルムの検査作業の生産性を改善することができる偏光フィルム検査装置及び方法を提供することにある。
【課題を解決するための手段】
【０００７】
このような目的を達成するための本発明の偏光フィルム検査装置は、ベースプレートの一側に設置され偏光フィルムをローディング／アンローディングさせる第１ローディング／アンローディング部と、ベースプレートの他側に第１ローディング／アンローディング部と対向するように設置され偏光フィルムをローディング／アンローディングさせる第２ローディング／アンローディング部と、第１ローディング／アンローディング部と第２ローディング／アンローディング部の間に設置され偏光フィルムを検査する検査部と、 第１ローディング／アンローディング部によってローディングされる偏光フィルムをグリップして第１ローディング／アンローディング部と検査部の間を移動する第１キャリアと、第２ローディング／アンローディング部によってローディングされる偏光フィルムをグリップして第２ローディング／アンローディング部と検査部の間を移動する第２キャリアと、第１キャリアと第２キャリアをそれぞれ第１ローディング／アンローディング部と第２ローディング／アンローディング部から検査部に交互に往復動させるキャリアトランスファと、から構成されることを特徴とする。
【０００８】
本発明の偏光フィルムの検査方法は第１ローディング／アンローディング部に位置した第１キャリアに偏光フィルムをローディングする第１段階と、第１ローディング／アンローディング部に位置した第１キャリアが偏光フィルムをグリップすると第１キャリアを検査部に移送させて第１キャリアにグリップされた偏光フィルムを検査する第２段階と、検査部に移送された第１キャリアにグリップされた偏光フィルムを検査する間第２ローディング／アンローディング部に位置した第２キャリアに偏光フィルムをローディングする第３段階と、検査部で第１キャリアにグリップされた偏光フィルムの検査が完了されると第１キャリアを第１ローディング／アンローディング部に移送させる第４段階と、第１キャリアを第１ローディング／アンローディング部に移送させると共に、偏光フィルムをグリップしている第２キャリアを検査部に移送させて第２キャリアにグリップされた偏光フィルムを検査する第５段階と、検査部に移送された第２キャリアにグリップされた偏光フィルムの検査が完了されると第２キャリアを第２ローディング／アンローディング部に移送させる第６段階と、第２ローディング／アンローディング部に第２キャリアが移送されると第２キャリアにグリップされた偏光フィルムをアンローディングした後、検査される偏光フィルムを第２キャリアにローディングする間、第２段階を実施する第７段階を、備えることを特徴とする。
【発明の効果】
【０００９】
以上説明したように本発明の偏光フィルム検査装置及び方法は検査部の両側に偏光フィルムをローディング／アンローディングするローディング／アンローディング部を備えて一方のローディング／アンローディング部に位置したキャリアに偏光フィルムをローディング／アンローディングする間、他のローディング／アンローディング部に位置したキャリアにグリップされた偏光フィルムを検査することができるようにして偏光フィルムの検査作業の生産性を改善することができる利点を提供する。
【発明を実施するための最良の形態】
【００１０】
以下、本発明の実施例を添付された図面を用いてより詳しく説明すると次のようだ。
【００１１】
図１は本発明の偏光フィルム検査装置の平面図であり、図２は図１に示された偏光フィルム検査装置の正面図である。
【００１２】
示されたように本発明の偏光フィルム検査装置は、ベースプレート１００aの一側に設置され偏光フィルム１０をローディング／アンローディングさせる第１ローディング／アンローディング部１００と、ベースプレート１００aの他側に第１ローディング／アンローディング部１００と対向するように設置され偏光フィルム１０をローディング／アンローディングさせる第２ローディング／アンローディング部２００と、第１ローディング／アンローディング部１００と第２ローディング／アンローディング部２００の間に設置され偏光フィルム１０を検査する検査部３００と、第１ローディング／アンローディング部１００によってローディングされる偏光フィルム１０をグリップして第１ローディング／アンローディング部１００と検査部３００の間を移動する第１キャリア４００と、第２ローディング／アンローディング部２００によってローディングされる偏光フィルム１０をグリップして第２ローディング／アンローディング部２００と検査部３００の間を移動する第２キャリア５００と、第１キャリア４００と第２キャリア５００をそれぞれ第１ローディング／アンローディング部１００と第２ローディング／アンローディング部２００から検査部３００に交互に往復動させるキャリアトランスファ６００と、から構成される。
【００１３】
本発明の偏光フィルム検査装置の構成を添付された図面を用いてより詳しく説明すると次のようだ。
【００１４】
本発明の偏光フィルム検査装置は図１及び図２に示されたように、第１ローディング／アンローディング部１００、第２ローディング／アンローディング部２００、検査部３００、第１キャリア４００、第２キャリア５００及びキャリアトランスファ６００から構成されて、各々の構成をより詳しく 順次に説明すると次のようだ。
【００１５】
第１ローディング／アンローディング部１００は偏光フィルム検査装置の一側で偏光フィルム１０がローディングされると第１キャリア４００が偏光フィルム１０をグリップすることができるように昇／下降させて、ベースプレート１００ａの一側に設置される。
【００１６】
偏光フィルム検査装置の他側で偏光フィルム１０をローディング／アンローディングさせるために第２ローディング／アンローディング部２００は第１ローディング／アンローディング部１００と対向するようにベースプレート1００ａの他側に設置されて、第１ローディング／アンローディング部１００と第２ローディング／アンローディング部２００は各々図２及び図３に示されたように昇降プレート1１０，２１０と昇降機1２０，２２０からなる。
【００１７】
昇降機1２０，２２０はそれぞれスライディングガイド1２１，２２１とこのスライディングガイド1２１，２２１に沿って移動されるように設置される移動ブロック1２２，２２２からなる。移動ブロック1２２，２２２の上側面にはそれぞれ連結部材1２３，２２３が設置されて、この連結部材1２３，２２３の上端に昇降プレート1１０，２１０が設置される。
【００１８】
昇降プレート1１０，２１０は昇降機1２０，２２０によって昇／下降され昇降プレート1１０，２１０に安着された偏光フィルム１０を第１キャリア４００と第２キャリア５００がそれぞれグリップすることができる位置に移動させる。ここで、昇降プレート1１０，２１０を移動させる昇降機1２０，２２０はそれぞれリニアモータやボールスクリュー移送機構が適用される。
【００１９】
グリップ位置に移動された偏光フィルム１０をグリップする第１キャリア４００と第２キャリア５００はそれぞれ検査される偏光フィルム１０をグリップするか又は検査が完了された偏光フィルム１０をアンローディングさせるために第１ローディング／アンローディング部１００と第２ローディング／アンローディング部２００に位置する。
【００２０】
第１ローディング／アンローディング部１００と第２ローディング／アンローディング部２００に位置する第１キャリア４００と第２キャリア５００はそれぞれ図１及び図３に示されたように、キャリアプレート４０１，５０１、キャリア駆動部材４１０，５１０、多数個のキャリア移動ブロック４２０，５２０及び多数個のキャリアグリッパ４３０，５３０から構成される。ここで、キャリア駆動部材４１０，５１０は駆動力を発生する装置としては回転モータ（図示せず）、回転軸（図示せず）及び軸変換器（図示せず）を使用して、各々はキャリアプレート４０１，５０１に設置される。
【００２１】
キャリア駆動部材４１０，５１０の上側には多数個のキャリア移動ブロック４２０，５２０がキャリア駆動部材４１０，５１０によって移動されることができるように設置され、キャリア駆動部材４１０，５１０の駆動力によって前／後進移動される。キャリア駆動部材４１０，５１０によって移動されるように設置される多数個のキャリア移動ブロック４２０，５２０の上側にはそれぞれ偏光フィルム１０を４方向でグリップすることができるようにキャリアグリッパ４３０，５３０が設置され、キャリアグリッパ４３０，５３０は第１キャリア４００と第２キャリア５００に各々４個ずつ具備される。
【００２２】
多数個のキャリア移動ブロック４２０，５２０によって駆動される第１キャリア４００と第２キャリア５００に偏光フィルム１０がグリップされるとこれを検査する検査部３００は図１及び図４に示されたように、第１ローディング／アンローディング部１００と第２ローディング／アンローディング部２００の間に設置され偏光フィルム１０を検査する。
【００２３】
偏光フィルム１０を検査する検査部３００は大きく領域スキャナ３１０とラインスキャナ３２０から構成される。
【００２４】
領域スキャナ３１０は偏光フィルム１０に発生される光抜け現象を検査するためにスキャニングし検査して、平板蛍光ランプ３１１と多数個の領域スキャンカメラ３１２から構成される。平板蛍光ランプ３１１はＬＣＤ (Liquid Crystal Display)に適用されるバックライトが適用されて、多数個の領域スキャンカメラ３１２は平板蛍光ランプ３１１の上側に一列に配設されて移送される偏光フィルム１０をスキャニングすることになる。領域スキャニングする多数個の領域スキャンカメラ３１２を偏光フィルム１０が通過すると偏光フィルム１０はラインスキャニング検査を受けることになる。
【００２５】
偏光フィルム１０のラインスキャニング検査を実施するためのラインスキャナ３２０は第１ラインスキャンカメラ部３２１、第１ラインスキャン駆動部材３２２、第２ラインスキャンカメラ部３２３及び第２ラインスキャン駆動部材３２４から構成される。
【００２６】
第１ラインスキャンカメラ部３２１は偏光フィルム１０の上側面をラインスキャニングすることができるように偏光フィルム１０の上側に設置されて、第２ラインスキャンカメラ部３２３は偏光フィルム１０の下側面をラインスキャニングすることができるように偏光フィルム１０の下側に設置される。偏光フィルム１０の上／下側にそれぞれ設置される第１ラインスキャンカメラ部３２１と第２ラインスキャンカメラ部３２３はそれぞれバー状のラインスキャン照明３２１ａ，３２３ａと多数個のラインスキャンカメラ３２１ｂ，３２３ｂが偏光フィルム１０を基準に各々２０°乃至６５°に斜めに設置されて好ましくは４５°に斜めに設置され偏光フィルム１０に異物又は気泡が含まれているか否かを検査する。
【００２７】
偏光フィルム１０に含まれて不良を発生させる異物や気泡をより正確に検査するために多数個の領域スキャンカメラ３１２、ラインスキャン照明３２１ａ，３２３ａ、多数個のラインスキャンカメラ３２１ｂ，３２３ｂ、透過検査照明３２５ａ及び多数個の透過検査カメラ３２５ｂを直線移動させるか又は回動させて傾斜角度を調整する。
【００２８】
多数個の領域スキャンカメラ３１２、ラインスキャン照明３２１ａ，３２３ａ及び透過検査照明３２５ａをそれぞれ直線方向に移動させるためにそれぞれマイクロメーター３２６が具備される。マイクロメーター３２６は図５に示されたように第１固定ブロック３２６ｃが固定プレート３２６ａに設置されて、第２固定ブロック３２６ｄが移動プレート３２６ｂに設置されるように構成されマイクロメーター３２６の調整の際、固定プレート３２６ａに沿って移動プレート３２６ｂが直線方向に前／後進される。
【００２９】
多数個のラインスキャンカメラ３２１ｂ，３２３ｂをそれぞれ斜めに回動させて傾斜角度を調整するために第１傾斜調整部材３２７及び第２傾斜調整部材３２８が具備されて、透過検査カメラ３２５ｂを斜めに回動させて位置を調整するために第２傾斜調整部材３２８が具備される。
【００３０】
マイクロメーター３２６によって直線移動されるラインスキャンカメラ３２１ｂ，３２３ｂと透過検査カメラ３２５ｂの傾斜角度を調整する第１傾斜調整部材３２７及び第２傾斜調整部材３２８は図５に示されたようにラインスキャンカメラ３２１ｂ，３２３ｂと透過検査カメラ３２５ｂを第１回動角度（ｍ１）と第２回動角度（ｍ２）に回動させて傾斜角度を調節することになる。これをために第１傾斜調整部材３２７及び第２傾斜調整部材３２８はそれぞれ凸曲面を有する第１回動ブロック３２８ｂと凹曲面を有する第２回動ブロック３２８ａから構成される。
【００３１】
第１回動ブロック３２８ｂと第２回動ブロック３２８ａの曲面の中央にはネジ山（図示せず）が形成されて、ネジ山が形成された調整部材３２８ｃは第１回動ブロック３２８ｂと第２回動ブロック３２８ａにそれぞれ形成されたネジ山と噛合する。従って、調整部材３２８ｃを回すと第１回動ブロック３２８ｂが第２回動ブロック３２８ａの曲面に沿って移動してラインスキャンカメラ３２１ｂ，３２３ｂと透過検査カメラ３２５ｂの傾斜角度を調節することができる。
【００３２】
傾斜角度と直線方向に移動可能なように設置された第１ラインスキャンカメラ部３２１と第２ラインスキャンカメラ部３２３はそれぞれ第１ラインスキャン駆動部材３２２と第２ラインスキャン駆動部材３２４に設置される。第１ラインスキャン駆動部材３２２は第１ラインスキャンカメラ部３２１を移動させて、第２ラインスキャン駆動部材３２４は第２ラインスキャンカメラ部３２３を移動させて第１ラインスキャンカメラ部３２１と第２ラインスキャンカメラ部３２３にそれぞれ構成されるラインスキャン照明３２１ａ，３２３ａとラインスキャンカメラ３２１ｂ，３２３ｂ間の間隔（ｍ）を狭めたり離れるように調整することができる。
【００３３】
ラインスキャン照明３２１ａ，３２３ａとラインスキャンカメラ３２１ｂ，３２３ｂ間の間隔（ｍ）が狭くなるように調整する場合に検査部３００の大きさをコンパクトに設定することができて、第１ラインスキャン駆動部材３２２と第２ラインスキャン駆動部材３２４には透過検査カメラ部３２５が設置される。
【００３４】
透過検査カメラ部３２５は偏光フィルム１０の内側に含まれることができる大きい異物を検査するためにバー状の透過検査照明３２５ａと多数個の透過検査カメラ３２５ｂから構成される。ここで透過検査照明３２５ａは第２ラインスキャン駆動部材３２４に設置されて、多数個の透過検査カメラ３２５ｂは第１ラインスキャン駆動部材３２２に設置される。
【００３５】
透過検査照明３２５ａと多数個の透過検査カメラ３２５ｂが設置された第１ラインスキャン駆動部材３２２と第２ラインスキャン駆動部材３２４はそれぞれ固定プレート３２２ａ，３２４ａ、スライディングガイド３２２ｂ，３２４ｂ、検査移動ブロック３２２ｃ，３２４ｃ及び検査移動プレート３２２ｄ，３２４ｄから構成されて、検査移動プレート３２２ｄ，３２４ｄにそれぞれ 多数個の透過検査カメラ３２５ｂと透過検査照明３２５ａがさらに具備され設置される。
【００３６】
透過検査照明３２５ａと多数個の透過検査カメラ３２５ｂがさらに具備されるラインスキャナ３２０を通じて偏光フィルム１０の検査が完了されると偏光フィルム１０をグリップしている第１キャリア４００又は第２キャリア５００はそれぞれ第１ローディング／アンローディング部１００、第２ローディング／アンローディング部２００又は領域スキャナ３１０に移動する。
【００３７】
第１キャリア４００と第２キャリア５００を第１ローディング／アンローディング部１００、第２ローディング／アンローディング部２００又は検査部３００に交互に移動させるために図１に示されたようにベースプレート1００ａの長さ方向に位置されるようにキャリアトランスファ６００が設置される。
【００３８】
キャリアトランスファ６００は第１キャリア４００と第２キャリア５００をそれぞれ第１ローディング／アンローディング部１００と第２ローディング／アンローディング部２００から検査部３００に交互に往復動させるためにリニアモータが適用されて、固定子６１０、第１可動子６２０及び第２可動子６３０から構成される。
【００３９】
固定子６１０は多数個の永久磁石６１１が配設されて、第１可動子６２０及び第２可動子６３０はそれぞれ多数個の電機子コイル６２１，６３１が配設されて固定子６１０に移動可能に設置される。
【００４０】
固定子６１０に沿って移動される第１可動子６２０と第２可動子６３０の上側にはそれぞれ第１キャリア４００と第２キャリア５００が設置され、永久磁石６１１と電機子コイル６２１，６３１の間の推力が発生すると第１可動子６２０と第２可動子６３０が固定子６１０に沿って移動されて第１キャリア４００と第２キャリア５００を移動させる。固定子６１０に沿って移動の際、第１可動子６２０と第２可動子６３０に設置された第１キャリア４００と第２キャリア５００をガイドするためにキャリアトランスファ６００と対向する方向にガイドレール６４０が設置される。
【００４１】
ガイドレール６４０によってガイドされ移動される第１キャリア４００又は第２キャリア５００にグリップされた偏光フィルム１０の不良を表すために、検査部３００の両側に、ラインマーカー７００が水平及び垂直方向に移動されるように設置される。かつ、ラインマーカー７００は、ペン、インクジェット機構又はスタンプが適用され偏光フィルム１０を保護する保護フィルム（図示せず）にラインを記入して偏光フィルムの不良を表す。
【００４２】
このように構成された本発明の偏光フィルム検査装置を用いた偏光フィルムの検査方法を添付された図６を用いて説明すると次のようだ。
【００４３】
図６の（Ａ）に示されたように、偏光フィルム１０を検査するためにまず第１ローディング／アンローディング部１００に位置した第１キャリア４００に偏光フィルム１０をローディングする第１段階を実施する。
【００４４】
第１段階で第１キャリア４００に偏光フィルム１０がグリップされローディングされると図６の（Ｂ）に示された矢印‘ａ’のように第１キャリア４００を検査部３００に移送させた後、第１キャリア４００を矢印‘ｂ’方向に移送して第１キャリア４００にグリップされた偏光フィルム１０を検査する第２段階を実施する。ここで、第２段階は第１キャリア４００にグリップされた偏光フィルム１０を検査する場合に偏光フィルム１０を領域スキャナ３１０に先に移送した後ラインスキャナ３２０に移送して、偏光フィルム１０の領域スキャン検査を実施した後ラインスキャン検査を実施する。
【００４５】
第２段階で検査部３００に移送された第１キャリア４００にグリップされた偏光フィルム１０を検査する間、第２ローディング／アンローディング部２００に位置した第２キャリア５００に偏光フィルム１０をローディングする第３段階を実施する。
【００４６】
第３段階で検査部３００で第１キャリア４００にグリップされた偏光フィルム１０の検査が完了されると図６の（Ｃ）に示された矢印‘ｃ’のように第１キャリア４００を第１ローディング／アンローディング部１００に移送させる第４段階を実施する。
【００４７】
第１キャリア４００を第１ローディング／アンローディング部１００に移送させる段階を実施すると共に偏光フィルム１０をグリップしている第２キャリア５００を矢印‘ｄ’のように検査部３００に移送させた後、第２キャリア５００を再び矢印‘ｅ’方向に移送させて第２キャリア５００にグリップされた偏光フィルム１０を検査する第５段階を実施する。ここで、第５段階は第２キャリア５００にグリップされた偏光フィルム１０を検査する場合に偏光フィルム１０を領域スキャナ３１０に先に移送した後ラインスキャナ３２０に移送して、偏光フィルム１０の領域スキャン検査を実施した後ラインスキャン検査を実施する。
【００４８】
第５段階で検査部３００に移送された第２キャリア５００にグリップされた偏光フィルム１０の検査が完了されると第２キャリア５００を第２ローディング／アンローディング部２００に移送させる第６段階を実施する。
【００４９】
第６段階が実施されると第２ローディング／アンローディング部２００に移送された第２キャリア５００にグリップされた偏光フィルム１０をアンローディングした後、検査される偏光フィルム１０を第２キャリア５００にローディングする間第２段階を実施する第７段階を実施して偏光フィルム１０に含まれることができる光抜け現象や異物を検査することになる。
【図面の簡単な説明】
【００５０】
【図１】本発明による偏光フィルム検査装置の平面図。
【図２】図１に示した偏光フィルム検査装置の正面図。
【図３】図１及び図２に示した偏光フィルム検査装置の部分拡大斜視図。
【図４】図２に示した検査部の拡大図。
【図５】図４に示したラインスキャンカメラの拡大斜視図。
【図６】本発明の偏光フィルム検査装置の偏光フィルム検査方法を示した図。
【符号の説明】
【００５１】
１０：偏光フィルム
１００：第１ローディング／アンローディング部
２００：第２ローディング／アンローディング部
１１０,２１０：昇降プレート
１２０,２２０：昇降機
３００：検査部
３１０：領域スキャナ
３２０：ラインスキャナ
４００：第１キャリア
５００：第２キャリア
４１０,５１０：キャリア駆動部材
４２０,５２０：キャリア移動ブロック
４３０,５３０：キャリアグリッパ
６００：キャリアトランスファ
６１０：固定子
６２０：第１可動子
６３０：第２可動子
【図１】
0004522986.tif 000002
【図２】
0004522986.tif 000003
【図３】
0004522986.tif 000004
【図４】
0004522986.tif 000005
【図５】
0004522986.tif 000006
【図６】
0004522986.tif 000007